(57)【要約】【課題】本発明は、表示装置、表示方法、表示方法のプログラム及び表示方法のプログラムを記録した記録媒体に関し、例えば音楽の再生装置に適用して、循環的なメニューの表示において、メニューのスクロールを開始した後においても、多数のメニューの区切りを明確に把握することができるようにする。【解決手段】  本発明は、操作子の操作に応動してメニューの表示を順次循環的にスクロールさせるようにして、メニューの先頭から末尾へのスクロールの際に、及びメニューの末尾から先頭へのスクロールの際に、連続してメニューをスクロールさせる場合に比して、長時間、スクロールを一時停止する。【選択図】        図１
2006252366.tif 000002
【特許請求の範囲】
【請求項１】
ユーザーによるメニューの選択操作に応じて、前記ユーザーによる操作を受け付ける前記メニューに係る表示装置において、
操作子の操作に応動して前記メニューの表示を順次循環的にスクロールさせ、
前記メニューの先頭から末尾へのスクロールの際に、及び前記メニューの末尾から先頭へのスクロールの際に、連続してメニューをスクロールさせる場合に比して、長時間、前記メニューのスクロールを一時停止する
ことを特徴とする表示装置。
【請求項２】
ユーザーによるメニューの選択操作に応じて、前記ユーザーによる操作を受け付ける前記メニューに係る表示方法において、
操作子の操作に応動して前記メニューの表示を順次循環的にスクロールさせ、
前記メニューの先頭から末尾へのスクロールの際に、及び前記メニューの末尾から先頭へのスクロールの際に、連続してメニューをスクロールさせる場合に比して、長時間、前記メニューのスクロールを一時停止する
ことを特徴とする表示方法。
【請求項３】
演算処理手段による実行により、ユーザーによるメニューの選択操作に応じて、前記ユーザーによる操作を受け付ける前記メニューに係る表示方法のプログラムにおいて、
操作子の操作に応動して前記メニューの表示を順次循環的にスクロールさせ、
前記メニューの先頭から末尾へのスクロールの際に、及び前記メニューの末尾から先頭へのスクロールの際に、連続してメニューをスクロールさせる場合に比して、長時間、前記メニューのスクロールを一時停止する
ことを特徴とする表示方法のプログラム。
【請求項４】
演算処理手段による実行により、ユーザーによるメニューの選択操作に応じて、前記ユーザーによる操作を受け付ける前記メニューに係る表示方法のプログラムを記録した記録媒体において、
前記表示方法のプログラムは、
操作子の操作に応動して前記メニューの表示を順次循環的にスクロールさせ、
前記メニューの先頭から末尾へのスクロールの際に、及び前記メニューの末尾から先頭へのスクロールの際に、連続してメニューをスクロールさせる場合に比して、長時間、前記メニューのスクロールを一時停止する
ことを特徴とする表示方法のプログラムを記録した記録媒体。
【発明の詳細な説明】
【技術分野】
【０００１】
本発明は、表示装置、表示方法、表示方法のプログラム及び表示方法のプログラムを記録した記録媒体に関し、例えば音楽の再生装置に適用することができる。本発明は、操作子の操作に応動してメニューの表示を順次循環的にスクロールさせるようにして、メニューの先頭から末尾へのスクロールの際に、及びメニューの末尾から先頭へのスクロールの際に、連続してメニューをスクロールさせる場合に比して、長時間、スクロールを一時停止することにより、循環的なメニューの表示において、メニューのスクロールを開始した後においても、多数のメニューの区切りを明確に把握することができるようにする。
【背景技術】
【０００２】
従来、再生装置、携帯電話等の各種電子機器においては、各種メニューを一覧表示し、押圧操作可能な回転操作子（以下、ジョグダイヤルと呼ぶ）の操作により、このメニューの選択を受け付けるものが提供されている。
【０００３】
このような電子機器に関して、例えば特開２００３−１１９７１７号公報には、ジョグダイヤルの回転操作に応動してメニューをスクロールさせることにより、限られた表示領域で多数のメニューを表示する方法が提案されている。
【０００４】
このようなメニューの表示においては、末尾側へのメニューのスクロールにより、末尾のメニューまで表示を切り換えると、続いて先頭のメニューを表示することにより、またこれとは逆に先頭側へのメニューのスクロールにより、先頭のメニューまで表示を切り換えると、続いて末尾のメニューを表示することにより、順次循環的にメニューを表示して所望するメニューを簡易に選択可能とする工夫が施されている。
【０００５】
しかしながらこのような循環的なメニューの表示にあっては、一旦、メニューをスクロールさせた後においては、先頭のメニュー、末尾のメニュー等の、これら多数のメニューの区切りを明確に把握することが困難な問題がある。
【０００６】
このような循環的なメニューの表示において、メニューのスクロールを開始した後においても、多数のメニューの区切りを明確に把握することができれば、一段と使い勝手を向上できると考えられる。
【特許文献１】特開２００３−１１９７１７号公報
【発明の開示】
【発明が解決しようとする課題】
【０００７】
本発明は以上の点を考慮してなされたもので、循環的なメニューの表示において、メニューのスクロールを開始した後においても、多数のメニューの区切りを明確に把握することができる表示装置、表示方法、表示方法のプログラム及び表示方法のプログラムを記録した記録媒体を提案しようとするものである。
【課題を解決するための手段】
【０００８】
かかる課題を解決するため請求項１の発明においては、表示装置に適用して、操作子の操作に応動して前記メニューの表示を順次循環的にスクロールさせ、前記メニューの先頭から末尾へのスクロールの際に、及び前記メニューの末尾から先頭へのスクロールの際に、連続してメニューをスクロールさせる場合に比して、長時間、前記メニューのスクロールを一時停止する。
【０００９】
また請求項２の発明においては、表示方法に適用して、操作子の操作に応動して前記メニューの表示を順次循環的にスクロールさせ、前記メニューの先頭から末尾へのスクロールの際に、及び前記メニューの末尾から先頭へのスクロールの際に、他のメニューにおけるスクロールの場合に比して、長時間、前記メニューのスクロールを一時停止する。
【００１０】
また請求項３の発明においては、表示方法のプログラムに適用して、操作子の操作に応動して前記メニューの表示を順次循環的にスクロールさせ、前記メニューの先頭から末尾へのスクロールの際に、及び前記メニューの末尾から先頭へのスクロールの際に、連続してメニューをスクロールさせる場合に比して、長時間、前記メニューのスクロールを一時停止する。
【００１１】
また請求項４の発明においては、表示方法のプログラムを記録した記録媒体に適用して、前記表示方法のプログラムは、操作子の操作に応動して前記メニューの表示を順次循環的にスクロールさせ、前記メニューの先頭から末尾へのスクロールの際に、及び前記メニューの末尾から先頭へのスクロールの際に、連続してメニューをスクロールさせる場合に比して、長時間、前記メニューのスクロールを一時停止する。
【００１２】
請求項１の構成により、表示装置に適用して、操作子の操作に応動して前記メニューの表示を順次循環的にスクロールさせ、前記メニューの先頭から末尾へのスクロールの際に、及び前記メニューの末尾から先頭へのスクロールの際に、連続してメニューをスクロールさせる場合に比して、長時間、前記メニューのスクロールを一時停止すれば、循環的なメニューの表示において、メニューのスクロールを開始した後においても、メニューの先頭、末尾を把握することができ、これにより多数のメニューの区切りを明確に把握することができる。
【００１３】
これにより請求項２、請求項３、請求項４の構成によれば、循環的なメニューの表示において、メニューのスクロールを開始した後においても、多数のメニューの区切りを明確に把握することができる表示方法、表示方法のプログラム、表示方法のプログラムを記録した記録媒体を提供することができる。
【発明の効果】
【００１４】
本発明によれば、循環的なメニューの表示において、メニューのスクロールを開始した後においても、多数のメニューの区切りを明確に把握することができる。
【発明を実施するための最良の形態】
【００１５】
以下、適宜図面を参照しながら本発明の実施例を詳述する。
【実施例１】
【００１６】
（１）実施例の構成
図２は、本発明の実施例に係る再生装置を示す斜視図である。この再生装置１は、コンパクトディスク、ＣＲ−ＲＯＭ（Compact Disc Read Only Memory ）による光ディスクに記録された音楽を再生してユーザーに提供し、またラジオ放送を受信してユーザーに提供する。
【００１７】
すなわちこの再生装置１においては、上面に蓋２が設けられ、この蓋２を開いてコンパクトディスク、ＣＤ−ＲＯＭを装填できるように形成される。また正面の左右にはスピーカ３Ｒ、３Ｌが設けられ、正面の中央には、各種メニューを表示する表示部４、各種操作子が設けられる。再生装置１は、この各種操作子の１つに、上下方向に回転操作可能なジョグダイヤル５が適用され、このジョグダイヤル５の操作により表示部４に表示したメニューをスクロールさせ、またこのメニューを選択できるように構成される。
【００１８】
図３は、この再生装置１の構成を示すブロック図である。この再生装置１において、チュナー部１１は、コントローラ１２の制御によりラジオ放送波を受信して音声信号を再生し、この音声信号を信号処理回路１３に出力する。
【００１９】
プレイヤー部１４は、コントローラ１２の制御により、この再生装置１に装填された光ディスクを再生し、この光ディスクの管理情報をコントローラ１２に通知し、またこの光ディスクに記録されたオーディオ信号を信号処理回路１３に出力する。
【００２０】
信号処理回路１３は、コントローラ１２の制御により動作を切り換え、ユーザーによりラジオ放送の受信が指示されると、チュナー部１１から出力される音声信号の音質、音量を調整して増幅回路１６に出力する。これに対してユーザーにより光ディスクの再生が指示されると、この再生装置１に装填された光ディスクに応じて、プレイヤー部１４から出力されるオーディオ信号をデコードした後、音質、音量を調整して増幅回路１６に出力する。
【００２１】
増幅回路１６は、このようにして信号処理回路１３から出力される音声信号、オーディオ信号により、スピーカ３Ｌ、３Ｒを駆動する。これらによりこの再生装置１では、光ディスクによる音楽、ラジオ放送を楽しむことができるように形成される。
【００２２】
コントローラ１２は、所定の処理プログラムを実行する演算処理手段により形成され、操作子の操作に応動してこの再生装置１全体の動作を制御する。なおこれら一連の処理に係るプログラムは、この再生装置１に事前にインストールされて提供されるものの、このような事前のインストールによる提供に代えて、インターネット等のネットワークを介したダウンロードにより提供するようにしてもよく、さらには記録媒体に記録して提供するようにしてもよい。因みに、このような記録媒体は、光ディスク、磁気ディスク、メモリカード等、種々の記録媒体を広く適用することができる。
【００２３】
このプログラムによる一連の制御によりコントローラ１２は、ユーザーの操作に応動してチュナー部１１の動作を立ち上げ、さらに受信周波数を可変し、さらには受信チャンネルの登録を受け付ける。またコントローラ１２は、ユーザーによる指示により表示部４に登録した受信チャンネルをメニューにより表示してユーザーによる選択を受け付け、所望する受信チャンネルの放送波を受信するように全体の動作を制御する。
【００２４】
またコントローラ１２は、プレイヤー部１４からの通知により、光ディスクが装填されると、この光ディスクの管理領域の情報をプレイヤー部１４から取得し、この光ディスクの種類を検出する。またこの検出結果によりＣＤ−ＲＯＭが装填された場合には、同様の管理領域の情報の取得により、このＣＤ−ＲＯＭに形成されたフォルダを検出する。これによりコントローラ１２は、ユーザーによる指示により表示部４にこの検出したフォルダをメニューにより表示してユーザーによる選択を受け付け、ユーザーの所望するフォルダに記録された音楽を再生するように全体の動作を制御する。なお装填された光ディスクがコンパクトディスクの場合、コントローラ１２は、このようなユーザーによる処理対象の選択を受け付けることなく、ユーザーによる指示によりこのコンパクトディスクに記録された音楽を再生するように全体の動作を制御する。
【００２５】
図１は、これら登録した受信チャンネル、ＣＤ−ＲＯＭに形成されたフォルダに係るメニュー表示の処理手順を示すフローチャートである。コントローラ１２は、ジョグダイヤル５が所定の操作量だけ回転操作される毎に、この処理手順を開始し、ステップＳＰ１からステップＳＰ２に移る。ここでコントローラ１２は、ジョグダイヤル５の操作を受け付けない期間を設定するジョグ禁止タイマーのカウント値が値０となっているか否か判断し、ここで肯定結果が得られると、ステップＳＰ２からステップＳＰ３に移り、カーソルのアップダウン処理により、メニューの表示を順次循環的にスクロールさせる。
【００２６】
また続くステップＳＰ４において、このメニューの表示のスクロールにより、カーソル位置が一時停止位置となったか否か判断する。ここでこの実施例では、このようにして表示するメニューの先頭及び末尾が一時停止位置に設定される。しかしてコントローラ１２は、このステップＳＰ４で否定結果が得られると、ステップＳＰ４からステップＳＰ５に移り、この処理手順を終了する。これに対してステップＳＰ４で肯定結果が得られると、コントローラ１２は、ステップＳＰ４からステップＳＰ６に移り、ジョグ禁止タイマーのカウント値を所定値に設定した後、ステップＳＰ５に移ってこの処理手順を終了する。
【００２７】
これに対してステップＳＰ２で否定結果が得られると、コントローラ１２は、ステップＳＰ２からステップＳＰ５に移ってこの処理手順を終了する。
【００２８】
これによりコントローラ１２は、図５に示すように、登録した受信チャンネル、ＣＤ−ＲＯＭに形成されたフォルダをメニューにより表示して、このメニューを順次循環的にスクロールさせるようにしてメニューの先頭又は末尾までスクロールさせると、ジョグ禁止タイマーのカウント値を所定値にセットし、以降、値０となるまで、このジョグ禁止タイマーのカウント値をカウントダウンする。
【００２９】
またこのジョグ禁止タイマーのカウント値が値０に立ち下がるまでの間、ユーザーによるジョグダイヤル５の操作を受け付けないようにし、これによりメニューの先頭から末尾にスクロールさせる場合、メニューの末尾から先頭にスクロールさせる場合、連続してメニューをスクロールさせる場合に比して、長時間、メニューのスクロールを一時停止する。これによりユーザーにおいては、一旦、メニューのスクロールを開始した後において、メニューの区切れである先頭、末尾で一旦メニューのスクロールが停止することにより、このようなメニューの区切れを簡易かつ確実に把握するこができ、これにより従来に比して使い勝手を向上することができる。
【００３０】
なおこの実施例において、コントローラ１２は、表示部４に同時に２つのメニューを表示し、ジョグダイヤル５の操作によりこのメニューの表示におけるカーソルをアップ、ダウンさせ、カーソルをアップ、ダウンできない場合に、この同時に表示した２つのメニューをスクロールさせる。
【００３１】
図５は、図１の処理手段のステップＳＰ３に係る処理を示すフローチャートである。コントローラ１２は、この処理手順を開始すると、ステップＳＰ１１からステップＳＰ１２に移り、ここでジョグダイヤル５の操作が下方向の回転操作に係るカーソルのアップに係る操作か否か判断する。ここで肯定結果が得られると、コントローラ１２は、ステップＳＰ１２からステップＳＰ１３に移り、カーソルの位置を示す変数がメニューの末尾に対応する最大値となっているか否か判断する。ここで肯定結果が得られると、コントローラ１２は、カーソルの位置を示す変数をメニューの先頭に対応する最小値に設定し、ステップＳＰ１５に移って元の処理手順に戻る。
【００３２】
これに対してステップＳＰ１３で否定結果が得られると、コントローラ１２は、ステップＳＰ１３からステップＳＰ１６に移り、カーソル位置を示す変数をインクリメントした後、ステップＳＰ１５に移って元の処理手順に戻る。
【００３３】
これによりコントローラ１２は、ジョグダイヤル５が下方向に回転操作されると、この回転操作に応動してカーソル位置を順次循環的にメニューの末尾側に移動させ、この移動に伴って表示部４の表示をスクロールさせる。
【００３４】
これに対してステップＳＰ１２で否定結果が得られると、コントローラ１２は、ステップＳＰ１２からステップＳＰ１７に移る。ここでコントローラ１２は、カーソルの位置を示す変数が、メニューの先頭に対応する最小値か否か判断し、ここで肯定結果が得られると、ステップＳＰ１７からステップＳＰ１８に移り、カーソルの位置を示す変数をメニューの末尾に対応する最大値に設定した後、ステップＳＰ１５に移ってこの処理手順を終了する。またステップＳＰ１７で否定結果が得られると、コントローラ１２は、ステップＳＰ１７からステップＳＰ１９に移り、カーソルの位置を示す変数をディクリメントした後、ステップＳＰ１５に移って元の処理手順に戻る。
【００３５】
これによりコントローラ１２は、ジョグダイヤル５が上方向に回転操作されると、この回転操作に応動してカーソル位置を順次循環的にメニューの先頭側に移動させ、この移動に伴って表示部４の表示をスクロールさせる。
【００３６】
しかしてコントローラ１２は、このようにしてメニューをスクロールさせながらカーソルを移動させて、ユーザーによりジョグダイヤル５が押圧操作されると、その時点でカーソルが位置するメニューに関して、対応するラジオ放送を受信し、また対応するフォルダに記録された音楽を再生するように、全体の動作を制御する。
【００３７】
（２）実施例の動作
以上の構成において、この再生装置１では（図２及び図３）、ユーザーによる操作子の操作によりチュナー部１１でラジオ放送が受信され、その受信結果による音声信号が信号処理回路１３により処理された後、増幅回路１６によりスピーカ３Ｌ、３Ｒから出力される。また同様にして、プレイヤー部１４により光ディスクが再生され、その再生結果によるオーディオ信号が信号処理回路１３により処理された後、増幅回路１６によりスピーカ３Ｌ、３Ｒから出力される。
【００３８】
このようなユーザーによる操作子の操作において、ユーザーがラジオ放送の受信を指示した場合には、登録された受信チャンネルがメニューにより表示部４に表示され（図４）、ジョグダイヤル５の上方向又は下方向の回転操作により、この表示部４に表示されたメニューが順次循環的にスクロールされる。またこのスクロールにより所望のメニューにカーソルを設定して、ジョグダイヤル５の押圧操作により、このカーソルが保持されているメニューに係る受信チャンネルを受信するように、コントローラ１２によりチュナー部１１の動作が制御される。これによりこのような順次循環的なメニューの操作により、ユーザーの操作を受け付けて、ユーザーの所望するラジオ放送が受信される。
【００３９】
また同様にして、ＣＤ−ＲＯＭに記録されたフォルダがメニューにより表示部４に表示され（図４）、ジョグダイヤル５の上方向又は下方向の回転操作により、この表示部４に表示されたメニューが順次循環的にスクロールされる。またこのスクロールにより所望のメニューにカーソルを設定して、ジョグダイヤル５の押圧操作により、このカーソルが保持されているメニューに係るフォルダを再生するように、コントローラ１２によりプレイヤー部１４の動作が制御される。これによりこのような順次循環的なメニューの操作により、ユーザーの操作を受け付けて、ユーザーの所望する音楽が再生される。
【００４０】
この再生装置１では、このようなメニューの表示において、上方向へのスクロールにより先頭のメニューから末尾のメニューに表示を切り換える際に、また下方向へのスクロールにより末尾のメニューから先頭のメニューに表示を切り換える際に、一定時間の間、ジョグダイヤル５の操作を受け付けないようになされ、これにより連続してメニューをスクロールさせる場合に比して、これらメニューの先頭及び末尾で、長時間、スクロールが一時停止する。
【００４１】
これによりユーザーにおいては、一旦、メニューのスクロールを開始した後においても、多数のメニューの区切りを明確に把握することができ、その分、使い勝手を向上することができる。
【００４２】
（３）実施例の効果
以上の構成によれば、操作子の操作に応動してメニューの表示を順次循環的にスクロールさせるようにして、メニューの先頭から末尾へのスクロールの際に、及びメニューの末尾から先頭へのスクロールの際に、連続してメニューをスクロールさせる場合に比して、長時間、スクロールを一時停止することにより、循環的なメニューの表示において、メニューのスクロールを開始した後においても、多数のメニューの区切りを明確に把握することができる。
【実施例２】
【００４３】
なお上述の実施例においては、押圧操作可能な回転操作子によりメニューをスクロールさせる場合について述べたが、本発明はこれに限らず、例えばアップ、ダウンの押圧操作子によりメニューをスクロールさせる場合等、種々の操作子によるスクロールの操作に広く適用することができる。
【００４４】
また上述の実施例においては、本発明を再生装置に適用して、受信チャンネルとフォルダとによるメニューを表示してスクロールさせる場合について述べたが、本発明はこれに限らず、例えば電子メールによるメニューの表示等、種々のメニューの表示に広く適用することができる。
【産業上の利用可能性】
【００４５】
本発明は、表示装置、表示方法、表示方法のプログラム及び表示方法のプログラムを記録した記録媒体に関し、例えば音楽の再生装置に適用することができる。
【図面の簡単な説明】
【００４６】
【図１】本発明の実施例に係る再生装置におけるコントローラの処理手順を示すフローチャートである。
【図２】本発明の実施例に係る再生装置を示す斜視図である。
【図３】図２の再生装置を示すブロック図である。
【図４】図２の再生装置におけるメニューの表示の説明に供する略線図である。
【図５】図１の処理手順におけるステップＳＰ３の処理を詳細に示すフローチャートである。
【符号の説明】
【００４７】
１……再生装置、４……表示部、５……ジョグダイヤル、１２……コントローラ
【図１】
2006252366.tif 000003
【図２】
2006252366.tif 000004
【図３】
2006252366.tif 000005
【図４】
2006252366.tif 000006
【図５】
2006252366.tif 000007